(57)【要約】【課題】特別な操作を行うことなく、外部取得した予約情報をスケジュール情報として確実に管理できるようにする。【解決手段】ＣＰＵ１１は、通信部１５を介してインターネット接続した際に、インターネットから受信取得した情報の種類を判別し、電子チケットであれば、この電子チケット情報をスケジュール情報として、スケジュール帳の日時スケジュールエリアに登録する。この場合、この電子チケット情報にその利用予定日時が含まれていれば、この利用予定日時がスケジュール情報の実行予定日時となるように当該予約情報の予約内容をスケジュール情報として登録する。【選択図】  図1
2006330781.tif 000002
【特許請求の範囲】
【請求項１】
予め登録されたスケジュール情報を記憶管理すると共に、このスケジュール情報を案内出力するスケジュール管理機能付き携帯端末装置であって、
ネットワークを介して外部取得した情報の種類を判別する判別手段と、
この判別手段によって予約情報であることが判別された場合に、この予約情報をスケジュール情報として登録する登録手段と、
を具備したことを特徴とするスケジュール管理機能付き携帯端末装置。
【請求項２】
前記判別手段は、ネットワークを介して取得した情報が予約情報である場合に、この予約情報にその利用予定日時が含まれているか否かを判別し、
この判別手段によって予約情報にその利用予定日時が含まれていることが判別された場合に、前記登録手段は、この利用予定日時がスケジュール情報の実行予定日時となるように当該予約情報をスケジュール情報として登録する、
ようにしたことを特徴とする請求項1記載のスケジュール管理機能付き携帯端末装置。
【請求項３】
予め登録されたスケジュール情報を記憶管理すると共に、このスケジュール情報を案内出力するスケジュール管理機能付き携帯端末装置であって、
予約した施設を利用可能とするために当該施設側の読取端末に読み取らせる予約識別情報を事前取得して設定する設定手段と、
事前取得した予約情報に含まれている利用予定日時がスケジュール情報の実行予定日時となるように当該予約情報の予約内容をスケジュール情報として登録する登録手段と、
を具備したことを特徴とするスケジュール管理機能付き携帯端末装置。
【請求項４】
前記登録手段は、予約情報にその利用予定日時が含まれているか否かに拘らず、この予約情報をスケジュール情報とは別途に登録する、
ようにしたことを特徴とする請求項２あるいは請求項３記載のスケジュール管理機能付き携帯端末装置。
【請求項５】
前記予約情報をスケジュール情報として登録する際に、当該予約情報の利用予定日時と登録済みスケジュール情報の実行予定日時とを比較することによって何れかのスケジュール実行予定日時に部分的あるいは全体的に重複するか否かを判別し、何れかのスケジュール実行予定日時に重複する場合にはその旨を報知する、
ようにしたことを特徴とする請求項２あるいは請求項３記載のスケジュール管理機能付き携帯端末装置。
【請求項６】
予約情報を正規な情報として取得するのに先立って、複数の予約候補の中から任意に選択された候補の利用予定日時と登録済みスケジュール情報の実行予定日時とを比較することによって何れかのスケジュール実行予定日時に部分的あるいは全体的に重複するか否かを判別し、何れかのスケジュール実行予定日時にも重複しないことを条件に当該選択候補の予約情報を正規な情報として取得する、
ようにしたことを特徴とする請求項３記載のスケジュール管理機能付き携帯端末装置。
【請求項７】
コンピュータに対して、
予め登録されたスケジュール情報を記憶管理すると共に、このスケジュール情報を案内出力する機能と、
ネットワークを介して外部取得した情報の種類を判別する機能と、
予約情報であることが判別された場合に、この予約情報をスケジュール情報として登録する機能と、
を実現させるためのプログラム。
【請求項８】
コンピュータに対して、
予め登録されたスケジュール情報を記憶管理すると共に、このスケジュール情報を案内出力する機能と、
予約した施設を利用可能とするために当該施設側の読取端末に読み取らせる予約識別情報を事前取得して設定する機能と、
事前取得した予約情報に含まれている利用予定日時がスケジュール情報の実行予定日時となるように当該予約情報の予約内容をスケジュール情報として登録する機能と、
を実現させるためのプログラム。
【発明の詳細な説明】
【技術分野】
【０００１】
この発明は、予め登録されたスケジュール情報を記憶管理すると共に、このスケジュール情報を案内出力するスケジュール管理機能付き携帯端末装置及びプログラムに関する。
【背景技術】
【０００２】
従来、携帯端末装置の多機能化に伴ってその活用範囲が広がり、インターネット接続機能、電子マネー機能、電子チケット機能などが備えられている。この電子チケット機能付き携帯端末装置においては、例えば、顧客からのチケット予約に応じて電子チケットのＩＤ情報を顧客側の携帯端末装置に送信して記憶させ、イベント会場への入場時にチケットＩＤの照合を行うことで、入場確認を行うようにした入場確認方法が知られている（特許文献１参照）。
【特許文献１】特開２００２−２６９２８０号公報
【発明の開示】
【発明が解決しようとする課題】
【０００３】
この種の携帯端末装置にあっては、入場時の利用者確認用としてチケットＩＤを記憶管理することを前提とものであった。
ところで、人気スポーツ・コンサートなどのイベントでは、発売直後にチケットが売り切れるほど入手が困難であり、イベント開催日の数週間前あるいは数ヶ月前にチケット予約を行うケースが多いが、チケット予約からそのイベント開催日までの期間が長くなればなる程、開催日時を忘れてしまったり、誤認する危険性が高くなる。
【０００４】
そこで、スケジュール管理機能を活用し、イベント開催日時に対応してそのイベント内容をスケジュール情報として登録設定しておけば、イベント開催日時を忘れたり、その誤認を防ぐことができ、効果的な管理が可能となるが、イベント予約情報をスケジュール情報として登録するためには、メニュー画面を開いて「スケジュール機能」を選択したのち、イベント開催日時と共にイベント内容をスケジュール設定画面にキー入力するなど、キー操作数の多い煩雑な作業が必要となり、ユーザに大きな負担をかけるほか、イベント開催日時を間違って入力してしまうおそれもあった。
【０００５】
この発明の課題は、特別な操作を行うことなく、外部取得した予約情報をスケジュール情報として確実に管理できるようにすることである。
【課題を解決するための手段】
【０００６】
請求項１記載の発明は、予め登録されたスケジュール情報を記憶管理すると共に、このスケジュール情報を案内出力するスケジュール管理機能付き携帯端末装置であって、ネットワークを介して外部取得した情報の種類を判別する判別手段と、この判別手段によって予約情報であることが判別された場合に、この予約情報をスケジュール情報として登録する登録手段とを具備したことを特徴とする。
更に、コンピュータに対して、上述した請求項１記載の発明に示した主要機能を実現させるためのプログラムを提供する（請求項７記載の発明）。
なお、予約情報とは、有料、無料に拘らず、イベント入場券、指定席乗車券、航空搭乗券、回数券などのチケット、宿泊予約などを意味する。
【０００７】
なお、請求項１記載の発明は次のようなものであってもよい。
前記判別手段は、ネットワークを介して取得した情報が予約情報である場合に、この予約情報にその利用予定日時が含まれているか否かを判別し、この判別手段によって予約情報にその利用予定日時が含まれていることが判別された場合に、前記登録手段は、この利用予定日時がスケジュール情報の実行予定日時となるように当該予約情報をスケジュール情報として登録する（請求項２記載の発明）。
なお、「日時」とは、年月日時分秒を示す情報であるが、例えば、「年月」、「年月日時」、「年月日時」などの情報であってもよい(以下、同様)。
【０００８】
前記登録手段は、予約情報にその利用予定日時が含まれているか否かに拘らず、この予約情報をスケジュール情報とは別途に登録する（請求項４記載の発明）。
なお、利用予定日時が含まれていない予約情報とは、常時開催のイベントなどのように、利用予定日時が限定されていない予約の場合である。
【０００９】
前記予約情報をスケジュール情報として登録する際に、当該予約情報の利用予定日時と登録済みスケジュール情報の実行予定日時とを比較することによって何れかのスケジュール実行予定日時に部分的あるいは全体的に重複するか否かを判別し、何れかのスケジュール実行予定日時に重複する場合にはその旨を報知する（請求項５記載の発明）。
なお、部分的な重複とは、例えば、予約情報の利用予定日時が平成１７年３月１０日１７時で、スケジュール情報の実行予定日時が平成１７年３月１０日１３時の場合、日を基準とすれば、両者は平成17年３月１０日に該当して部分的に重複することになる。この場合、時を基準とすれば、両者は重複しないが、１２時間単位を基準とすれば、部分的に重複することになる。
【００１０】
請求項３記載の発明は、予め登録されたスケジュール情報を記憶管理すると共に、このスケジュール情報を案内出力するスケジュール管理機能付き携帯端末装置であって、予約した施設を利用可能とするために当該施設側の読取端末に読み取らせる予約識別情報を事前取得して設定する設定手段と、事前取得した予約情報に含まれている利用予定日時がスケジュール情報の実行予定日時となるように当該予約情報の予約内容をスケジュール情報として登録する登録手段とを具備したことを特徴とする。
更に、コンピュータに対して、上述した請求項３記載の発明に示した主要機能を実現させるためのプログラムを提供する（請求項８記載の発明）。
【００１１】
なお、請求項３記載の発明は、上述した請求項４及び５記載の発明であってもよい。更に、予約情報を正規な情報として取得するのに先立って、複数の予約候補の中から任意に選択指定された候補の利用予定日時と登録済みスケジュール情報の実行予定日時とを比較することによって何れかのスケジュール実行予定日時に部分的あるいは全体的に重複するか否かを判別し、何れかのスケジュール実行予定日時にも重複しないことを条件に当該選択候補の予約情報を正規な情報として取得するようにしてもよい（請求項６記載の発明）。
【発明の効果】
【００１２】
請求項１記載の発明によれば、ネットワークを介して外部取得した情報の種類を判別し、予約情報であれば、スケジュール情報として登録するようにしたから、特別な操作を行うことなく、予約情報をスケジュール情報として確実に管理することができると共に、スケジュール管理機能を起動させてスケジュール情報を案内表示させることにより、予約情報を何時でも自由に確認することができ、その確認漏れなどを確実に防ぐことが可能となるなど、実用効果の高い携帯端末装置を提供することができる。
【００１３】
請求項２記載の発明によれば、上述した請求項１記載の発明と同様の効果を有するほか、ネットワークを介して取得した情報が予約情報であり、この予約情報にその利用予定日時が含まれていれば、この利用予定日時がスケジュール情報の実行予定日時となるように当該予約情報をスケジュール情報として登録するようにしたから、スケジュール登録形式をそのまま使用して予約情報を管理することができる。
【００１４】
請求項４記載の発明によれば、上述した請求項１記載の発明と同様の効果を有するほか、予約情報にその利用予定日時が含まれているか否かに拘らず、この予約情報をスケジュール情報とは別途に登録するようにしたから、日時指定の有る予約情報に限らず、日時指定の無い予約情報であっても予約確認が可能となる。
【００１５】
請求項５記載の発明によれば、上述した請求項１記載の発明と同様の効果を有するほか、予約情報をスケジュール情報として登録する際に、当該予約情報の利用予定日時と登録済みスケジュール情報の実行予定日時とを比較することによって何れかのスケジュール実行予定日時に部分的あるいは全体的に重複するか否かを判別し、何れかのスケジュール実行予定日時に重複する場合にはその旨を報知するようにしたから、今回取得した予約情報の登録をキャンセルしたり、登録済みスケジュール情報を消去するようにすれば、同一日時の重複登録を防ぐことができる。
【００１６】
請求項３記載の発明によれば、予約した施設を利用可能とするために当該施設側の読取端末に読み取らせる予約識別情報を事前取得して設定しておくと共に、事前取得した予約情報に含まれている利用予定日時がスケジュール情報の実行予定日時となるように当該予約情報の予約内容をスケジュール情報として登録するようにしたから、施設の利用時には予約識別情報を読み取らせるだけで足り、その利用手続きの簡素化が可能となるほか、特別な操作を行うことなく、予約情報をスケジュール情報として確実に管理することができると共に、予約情報を何時でも自由に確認することができ、その確認漏れなどを確実に防ぐことが可能となるなど、実用効果の高い携帯端末装置を提供することができる。
【００１７】
請求項６記載の発明によれば、上述した請求項３記載の発明と同様の効果を有するほか、予約情報を正規な情報として取得するのに先立って、複数の予約候補の中から任意に選択された候補の利用予定日時と登録済みスケジュール情報の実行予定日時とを比較することによって何れかのスケジュール実行予定日時に部分的あるいは全体的に重複するか否かを判別し、何れかのスケジュール実行予定日時にも重複しないことを条件に当該選択候補の予約情報を正規な情報として取得するようにしたから、重複スケジュールの無い確実な予約情報を取得することがきる。
その他、請求項３記載の発明にあっても上述した請求項４及び５記載の発明と同様の効果を有する。
【発明を実施するための最良の形態】
【００１８】
（実施例１）
以下、図１〜図６を参照して本発明の第１実施例を説明する。
この実施例は、携帯端末装置として携帯電話装置に適用した場合を例示したもので、図１は、携帯電話装置の外観斜視図である。
この携帯電話装置は、上部筐体１と下部筐体２とをヒンジ機構部３を介して開閉可能(折り畳み可能)に取り付けられたもので、上部筐体１には表示部４が備えられ、下部筐体２にはキー操作部５が備えられている。表示部４は、折り畳み式の装置本体を開いた状態で文字情報、画像情報などを高精細に表示可能な主画面(液晶画面)である。キー操作部５は、押しボタン式の各種のキーを備え、ダイヤル入力、文字入力、コマンド入力などを行うもので、キー操作に応じたキー入力信号を出力する。
【００１９】
この携帯電話装置には、通話機能、電子メール機能、カメラ撮影機能、インターネット接続機能、 近距離通信機能(非接触通信機能)などのほか、スケジュール管理機能(スケジューラ)が装備されている。このスケジュール管理機能は、予め任意に登録されているスケジュール情報を記憶管理すると共に、ユーザ操作に応じてスケジュール情報を読み出して案内表示したり、スケジュール日時に到達した前に、その旨をメッセージ表示あるいはアラーム音によって報知するもので、この実施例のスケジュール管理機能は、インターネットを介して外部取得した電子チケット情報をスケジュール情報として登録するようにしている。
【００２０】
図２は、携帯電話装置の基本的な構成要素を示したブロック図である。
ＣＰＵ１１は、記憶部１２内の各種のプログラムに応じてこの携帯電話装置の全体動作を制御する中央演算処理装置である。記憶部１２は、不揮発性メモリ(内部メモリ)であり、例えば、フラッシュメモリなどによって構成され、プログラム領域とデータ領域とを有し、このプログラム領域には、後述する図４及び図５に示す動作手順に応じて本実施例を実現するためのプログラムが格納されている。記録メディア１３は、着脱自在な可搬型メモリで、撮影画像データ、スケジュール情報などが書き込まれたり、各種のデータ、プログラムを外部供給するもので、例えば、スマートメディア、ＩＣカードなどによって構成されている。メモリ１４は、ワーク領域を有する内部メモリで、例えば、ＤＲＡＭ（Direct Random Access Memory）、ＳＤＲＡＭ（Synchronous DRAM）などによって構成されている。
【００２１】
ＣＰＵ１１には、その入出力周辺デバイスである表示部４、キー操作部５のほか、通信部１５、スピーカ１６、マイク１７、カメラ撮像部１８、ＧＰＳ(Global Positioning System)部１９、非接触ＩＣ部２０などが接続されている。通信部１５は、アンテナ２１からの受信電波を増幅して受信ベースバンド信号に復調すると共に、この受信ベースバンド信号をデジタル変換するもので、ＣＰＵ１１は、通信部１５からの受信結果に基づいて電話呼び出し、電子メール受信、インターネット接続に応じた処理を実行する。スピーカ１６、マイク１７は、音声用／着信報知用のスピーカ、音声マイクである。
【００２２】
カメラ撮像部１８は、静止画撮影、動画撮影が可能なデジタルカメラ部である。ＧＰＳ部１９は、衛星と地上の制御局を利用し、電波の到着時間の差あるいは位置関係などから厳密に測定された現在位置(経緯度情報)を受信取得するもので、現在位置を含む地図情報を表示する場合などに利用される。非接触ＩＣ部２０は、コイルアンテナ、メモリを備え、電子マネー支払い機能として利用されるほかに、入場券などのゲート通過用として利用されるもので、外部端末装置との間で微弱電波による近距離通信が行われる。
【００２３】
図３は、スケジュール帳２２の構成を示した図である。
このスケジュール帳２２は、記憶部１２からメモリ１４にセットされたもので、日時スケジュールエリア２２Ａと予約リストエリア２２Ｂを有する構成となっている。この日時スケジュールエリア２２Ａは、キー操作部５あるいは記録メディア１３から予め任意に入力設定されたスケジュール情報を時系列的に記憶管理するもので、各スケジュール情報は、日時情報(実行予定日時)とそのテキスト情報(スケジュール内容)とを対応付けた構成となっている。
【００２４】
この場合、ユーザ操作によってスケジュールの読み出し指示を受けた際に、ＣＰＵ１１は、このスケジュール確認操作に応答してスケジュール管理機能を起動させ、日時スケジュールエリア２２Ａから現在日／現在週／現在月など、任意に指定された指定期間に該当する各スケジュール情報を読み出して表示部４に一覧表示させる。なお、日時スケジュールエリア２２Ａは、各スケジュール情報を時系列的に記憶管理する場合に限らず、入力設定された設定順に記憶管理するようにしてもよい。この場合、各スケジュール情報を一覧表示する際に、各スケジュール情報の並びを時系列順に変更して表示出力すればよい。
【００２５】
また、ＣＰＵ１１は、インターネットを介して受信取得した電子チケット情報にその利用予定日時を示す日時情報が含まれている場合、つまり、日時指定の有る電子チケットであれば、この利用予定日時がスケジュール情報の実行予定日時となるように当該電子チケット情報をスケジュール情報として日時スケジュールエリア２２Ａに追加登録するようにしている。この場合、ＣＰＵ１１は、インターネットを介して受信取得した電子チケット情報にその利用予定日時を示す日時情報が含まれているか否かに拘らず、インターネットを介して受信取得した全ての電子チケット情報をスケジュール帳２２の予約リストエリア２２Ｂに登録するようにしている。
【００２６】
すなわち、予約リストエリア２２Ｂは、電子チケット情報をスケジュール情報とは別途に登録するもので、この予約リストエリア２２Ｂの内容は、リスト確認操作に応答して読み出されて一覧表示される。この場合、各電子チケット情報は、その取得順に予約リストエリア２２Ｂに格納されるが、リスト一覧表示時には、日時指定の有る電子チケット情報と日時指定の無い電子チケット情報に区分して表示するようにしている。なお、日時スケジュールエリア２２Ａに電子チケット情報がスケジュール情報として登録されている場合に、この日時スケジュールエリア２２Ａの内容は、スケジュール確認操作に応答して電子チケット情報が他のスケジュール情報と共に一覧表示される。
【００２７】
次ぎに、この第１実施例における携帯電話装置の動作概念を図４及び図５に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００２８】
図４は、電源投入に伴って実行開始される携帯電話装置の全体動作を示したフローチャートである。
先ず、ＣＰＵ１１は、待ち受け状態において所定の待ち受け画像を読み出して表示出力させる(ステップＡ１)。この待ち受け状態において、インターネットに接続されたか否かをチェックし(ステップＡ２)、インターネット接続でなければ、各機能処理に移る(ステップＡ３)。例えば、電話着信あるいはメール着信を検出した場合には、着信報知を行って電話接続あるいはメール受信処理を実行し、キー操作を検出した場合には、操作キーに応じてダイヤル入力処理、メール作成処理、電話帳登録処理、スケジュール帳登録処理などを実行する。
【００２９】
一方、移動体通信網を介してインターネット側に接続されている場合には(ステップＡ２でＹＥＳ)、アクセス指定されたＷｅｂページをダウンロード保存するか否かをチェックし(ステップＡ４)、ダウンロード保存が指示されなければ、インターネットから受信取得したＷｅｂページを表示出力させる閲覧処理に移る(ステップＡ５)。以下、ユーザからインターネット終了が指示されるまで閲覧処理を継続実行させるが、その終了指示を受けた場合には(ステップＡ６でＹＥＳ)、最初の待受け画面に戻る(ステップＡ１)。
【００３０】
また、インターネットから受信取得したＷｅｂページに対してそのダウンロード保存が指示された場合には(ステップＡ４でＹＥＳ)、この受信情報をメモリ１４に書き込んで記録保存した後(ステップＡ７)、この受信情報は電子チケットであるか否かを判別する(ステップＡ８)。ここで、電子チケットでなければ、ステップＡ４に戻ってダウンロード保存の指示有無をチェックするが、電子チケットであれば、この電子チケット情報をスケジュール帳２２の予約リストエリア２２Ｂに登録した後(ステップＡ９)、この電子チケットにその利用予定日時を示す日時情報が含まれているか否かをチェックする(ステップＡ１０)。この場合、日時指定の無いチケットであれば、ステップＡ４に戻るが、日時指定の有るチケットであれば、この利用予定日時がスケジュール情報の実行予定日時となるように当該電子チケット情報をスケジュール情報として日時スケジュールエリア２２Ａに登録するスケジュール登録処理を実行する(ステップＡ１１)。
【００３１】
図５は、日時指定の有る電子チケット情報をスケジュール情報として日時スケジュールエリア２２Ａに登録する場合のスケジュール登録処理を詳述するためのフローチャートである。
先ず、ＣＰＵ１１は、スケジュール管理機能(スケジューラ)を起動させた後(ステップＢ１)、電子チケット情報に含まれている利用予定日時に基づいて日時スケジュールエリア２２Ａを検索し、この利用予定日時と各スケジュール実行予定日時とを比較することによってスケジュールが重複しているか、つまり、チケット利用予定日時と同一の日時がスケジュール実行予定日時として既に登録されているか否かをチェックする(ステップＢ２)。
【００３２】
ここで、日時比較を行う際に、日時情報のうち、その「年月日」を比較対象として、チケット利用予定日に該当する日(同じ日)に他のスケジュールが既に登録されているか否かによってスケジュールの重複を判別するようにしているが、時単位までを比較対象とした場合には、例えば、スケジュールの重複を午前の時間帯あるいは午後の時間帯に分けて判別することができる。その他、比較対象は、週単位、月単位などであってもよく、更に、ユーザ操作によって比較対象を何にするかを任意に選択可能としてもよい。
【００３３】
いま、チケット利用予定日が何れの登録スケジュール実行予定日に該当せず、スケジュールが重複しないことを条件に(ステップＢ２でＮＯ)、ＣＰＵ１１は、電子チケット情報をスケジュール情報として日時スケジュールエリア２２Ａに登録する(ステップＢ５)。この場合、チケット利用予定日をスケジュール実行予定日とし、チケットタイトルをスケジュール内容として日時スケジュールエリア２２Ａに登録する。他方、チケット利用予定日が何れの登録スケジュールの実行予定日に該当し、スケジュールが重複する場合には(ステップＢ２でＹＥＳ)、スピーカ１６から警告音を発生させると共に、表示部４に警告メッセージを表示させる(ステップＢ３)。
【００３４】
そして、今回取得した電子チケットをキャンセルし、チケットのダウンロードをやり直すべきことを指示するユーザ操作(キャンセル操作)の有無をチェックし(ステップＢ４)、キャンセル指示を受けた場合には、スケジュール管理機能(スケジューラ)を一旦終了させるが(ステップＢ６)、その指示がなければ、今回取得したチケット情報をスケジュール情報として日時スケジュールエリア２２Ａに登録した後(ステップＢ５)、スケジュール管理機能(スケジューラ)を終了させる(ステップＢ６)。この場合、重複する登録スケジュールをそのまま残して今回取得したチケット情報を登録してもよいが、重複する登録スケジュールを削除し、その代わりに今回取得したチケット情報を登録するようにしてもよい。
【００３５】
図６は、日時スケジュールエリア２２Ａに電子チケット情報がスケジュール情報として登録されている場合に、スケジュール確認操作に応答して電子チケット情報が他のスケジュール情報と共に一覧表示された状態の表示例を示した図である。
この例では、５月のスケジュール表を案内表示した場合で、その２行目のスケジュール情報が電子チケット情報で、そのチケット利用予定日「５月２１日」に対応してチケットタイトル「新幹線(東京―名古屋)」が案内表示される。
【００３６】
以上のように、この第１実施例においてＣＰＵ１１は、通信部１５を介してインターネット接続した際に、インターネットから受信取得した情報の種類を判別し、電子チケットであれば、この電子チケット情報をスケジュール情報として、スケジュール帳２２の日時スケジュールエリア２２Ａに登録するようにしたから、特別な操作を行うことなく、チケット情報をスケジュール情報として確実に管理することができると共に、スケジュール管理機能を起動させてスケジュール情報を案内表示させることにより、チケット情報を何時でも自由に確認することができ、その確認漏れなどを確実に防ぐことが可能となるなど、実用効果の高いものとなる。
【００３７】
この場合、インターネットを介して取得した情報が電子チケット情報であり、この電子チケット情報にその利用予定日時が含まれていれば、この利用予定日時がスケジュール情報の実行予定日時となるように当該電子チケット情報をスケジュール情報として登録するようにしたから、スケジュール登録形式をそのまま使用して電子チケット情報を管理することができる。また、電子チケット情報を予約リストエリア２２Ｂにスケジュール情報とは別途に登録するようにしたから、日時指定の有る電子チケット情報に限らず、日時指定の無い電子チケット情報であっても予約確認が可能となる。
【００３８】
また、ＣＰＵ１１は、電子チケット情報をスケジュール情報として登録する際に、当該電子チケット情報の利用予定日時と登録済みスケジュール情報の実行予定日時とを比較することによって何れかのスケジュール実行予定日時に重複するか否かを判別し、何れかのスケジュール実行予定日時に重複する場合にはその旨を警告するようにしたから、今回取得した電子チケット情報の登録をキャンセルしたり、登録済みスケジュール情報を消去することができ、同一日時の重複登録を防ぐことが可能となる。
【００３９】
なお、上述した第１実施例においてスケジュール管理機能は、スケジュール確認操作に応答して日時スケジュールエリア２２Ａから読み出したスケジュール情報を一覧表示するほか、現在日時と各スケジュール実行予定日時とを比較することによって何れかのスケジュール実行予定日時に到達した際に、その旨をメッセージ表示あるいはアラーム音によって報知するようにしているが、その際、スケジュール情報が電子チケット情報であれば、例えば、その予定日時の前日に報知するようにしてもよい。
（実施例２）
【００４０】
以下、この発明の第２実施例について図７〜図１１を参照して説明する。
この第２実施例は、予約した施設を利用可能とするために当該施設側の読取端末３５に読み取らせる予約識別情報(予約ＩＤ)を事前取得して非接触ＩＣ部２０の内部メモリに設定しておくと共に、予約情報に含まれている利用予定日時がスケジュール情報の実行予定日時となるように当該予約情報の予約内容をスケジュール情報として登録するようにしたものである。
ここで、両実施例において基本的あるいは名称的に同一のものは、同一符号を付して示し、その説明を省略すると共に、以下、第２実施例の特徴部分を中心に説明するものとする。
【００４１】
図７は、携帯電話装置を使用し、インターネット経由で予約情報を入手したり、予約施設を利用する場合の全体システムの概要を示したブロック図である。
携帯電話装置３１は、移動体通信網を構成する基地局３２を介してインターネット３３に接続されており、アクセス対象として任意に指定した予約サイト３４から予約情報(予約ＩＤ及び予約内容を含む情報)をダウンロード受信してスケジュール情報として登録するほか、予約した施設を利用可能とするために当該施設側の読取端末３５に読み取らせる予約ＩＤを非接触ＩＣ部２０の内部メモリに設定するようにしている。なお、予約サイト３４は、交通機関、宿泊施設、イベント施設などの予約センタである。施設側の管理サーバ３６は、読取端末３５に接続されており、読取端末３５によって読み取られた予約ＩＤ及びユーザＩＤに基づいて正規な顧客か否かを認証し、正規な予約客であれば、ゲート装置(図示せず)を開放して入場を許可するゲート制御装置である。
【００４２】
図８は、携帯電話装置３１側の非接触ＩＣ部２０の内部メモリを示した図である。
この非接触ＩＣ部２０は、電子マネー支払い機能として利用されるほかに、入場券などのゲート通過用として利用されるもので、予約施設の利用時に当該施設側の読取端末３５との間で微弱電波による近距離通信が行われる。この非接触ＩＣ部２０の内部メモリには、電子マネーの種類を示す「電子マネーＩＤ」、「電子マネー残高」が記憶管理されているほか、図示の例では、２種類の予約ＩＤとして「予約ＩＤ(１)」、「予約ＩＤ(２)」が設定されている。
【００４３】
図９は、予約アプリケーションがユーザ操作によって起動された際に実行開始されるフローチャートである。
先ず、ＣＰＵ１１は、予約アプリケーションが起動されると、インターネット経由で予約サイト３４から初期メニュー項目をダウンロード受信して(ステップＣ１)、この予約メニュー項目を一覧表示させる(ステップＣ２)。この一覧画面の中から任意の項目が選択指定されると(ステップＣ３)、この選択メニュー項目の予約可能リスト(現時点で予約可能な選択候補)を予約サイト３４に対して要求し、このリストをダウンロード受信して(ステップＣ４)、一覧表示させる(ステップＣ５)。
【００４４】
このリスト画面の中から所望する予約項目が選択指定されると(ステップＣ６)、選択された予約項目にその利用予定日時を示す日時情報が含まれているかをチェックする(ステップＣ７)。ここで、日時指定の有る予約内容であれば、上述した第１実施例と同様に、スケジュール帳２２の日時スケジュールエリア２２Ａを参照し(ステップＣ８)、この利用予定日時と各スケジュール実行予定日時とを比較することによってスケジュールが重複しているか、つまり、利用予定日時と同一の日時がスケジュール実行予定日時として既に登録されているか否かをチェックする(ステップＣ９)。スケジュールが重複する場合には(ステップＣ９でＹＥＳ)、その旨の警告メッセージを表示させた後に(ステップＣ１０)、リスト表示に戻るため(ステップＣ５)、今回の予約項目に代えて他の予約項目の選択が可能となる。
【００４５】
一方、ステップＣ７で日時指定の無い予約内容であることが検出された場合あるいはステップＣ９でスケジュールが重複しないことが検出された場合には、選択した予約項目を正式に予約することを予約サイト３４に対して宣言し(ステップＣ１１)、それに応答して予約サイト３４から送信されて来た正式な予約情報(予約ＩＤ、予約内容)をダウンロード受信する(ステップＣ１２)。そして、この予約ＩＤを非接触ＩＣ部２０の内部メモリに設定した後(ステップＣ１３)、この予約内容をスケジュール帳２２の予約リストエリア２２Ｂに登録する(ステップＣ１４)。
【００４６】
更に、予約内容に日時指定が有るかを判別し(ステップＣ１５)、日時指定の有る予約内容であれば、ＣＰＵ１１は、この予約内容をスケジュール情報として日時スケジュールエリア２２Ａに登録する(ステップＣ１６)。この場合、その利用予定日をスケジュール実行予定日としてその予定内容を日時スケジュールエリア２２Ａに登録する。このようにして予約手続きが完了すると、スケジュール帳２２の内容を表示する処理に移る(ステップＣ１７)。このスケジュール帳表示処理は、今回、新たに登録された登録内容を確認するための処理で、新規登録された予約内容が含まれるように日時スケジュールエリア２２Ａから１画面分のスケジュール情報を読み出し一覧表示させる。このスケジュール画面からリスト画面への切り換えが指示されると、今回、新規登録された予約内容が含まれるように予約リストエリア２２Ｂから１画面分の予約内容を読み出して一覧表示させる。
【００４７】
なお、スケジュール帳表示処理は、ユーザ操作によって何時でも自由に実行することができる。すなわち、ＣＰＵ１１は、スケジュール確認操作が行われると、それに応答して日時スケジュールエリア２２Ａの内容を読み出して一覧表示させる。この場合、本日分、今月分など任意に指定した期間に該当するスケジュール情報を一覧表示させることができる。また、リスト確認操作が行われると、それに応答して予約リストエリア２２Ｂの内容を読み出して一覧表示させる。
図１０は、予約リストエリア２２Ｂの内容を一覧表示した一覧画面を示した図で、日時指定の有る予約内容と日時指定の無い予約内容に区分されて識別表示される。この場合、予約毎にその「日時」と「予約項目」を対応付けて表示されるが、日時指定の無い予定の「日時」には、“指定ナシ”の文字列が表示される。
【００４８】
図１１は、携帯電話装置３１側の非接触ＩＣ部２０の動作を示したフローチャートである。
非接触ＩＣ部２０は、コイルアンテナによって電磁誘導された起電力を電源として動作し、非接触ＩＣ部２０と予約施設側の読取端末３５あるいは電子マネー取扱店の読取端末(図示せず)とのコネクションが確立されると(ステップＤ１)、読取端末からＩＤが要求されるまで待機状態となる(ステップＤ２)。ここで、ＩＤの要求を受け取ると、非接触ＩＣ部２０の内部メモリに設定されている各種のＩＤの中から該当種のＩＤを読み出して発信出力した後(ステップＤ３)、読取端末からの応答内容を調べる(ステップＤ４、Ｄ５)。すなわち、予約施設側の読取端末３５からの予約ＯＫ応答(肯定応答)か(ステップＤ４)、電子マネー取扱店の読取端末からの電子マネー残高更新応答かをチェックし(ステップＤ５)、残高更新応答であれば、非接触ＩＣ部２０の内部メモリにセットされている残高を更新する処理を行う(ステップＤ６)。
【００４９】
以上のように、この第２実施例においてＣＰＵ１１は、予約した施設を利用可能とするために当該施設側の読取端末３５に読み取らせる予約ＩＤをインターネットを介して事前取得して非接触ＩＣ部２０の内部メモリに設定しておくと共に、予約内容に含まれている利用予定日時がスケジュール情報の実行予定日時となるように当該予約情報の予約内容をスケジュール情報としてスケジュール帳２２の日時スケジュールエリア２２Ａに登録するようにしたから、施設の利用時には予約ＩＤを読み取らせるだけで足り、その利用手続きの簡素化が可能となるほか、特別な操作を行う必要はなく、予約内容をスケジュール情報として確実に管理することができると共に、予約内容を何時でも自由に確認することができ、その確認漏れなどを確実に防ぐことが可能となるなど、実用効果の高いものとなる。
【００５０】
この場合、予約項目を正規な情報として取得するのに先立って、予約可能リストの中から任意に選択された予約項目の利用予定日時と登録済みスケジュール情報の実行予定日時とを比較することによって何れかのスケジュール実行予定日時に重複するか否かを判別し、何れかのスケジュール実行予定日時にも重複しないことを条件に当該選択項目の予約項目を正規な情報として取得するようにしたから、重複スケジュールの無い確実な予約内容を取得することがきる。
【００５１】
なお、上述した第２実施例においては、予約施設の利用時に、この施設側の読取端末３５と非接触ＩＣ部２０との間で無線通信を行うことによって読取端末３５に予約ＩＤを読み取らせるようにしたが、予約ＩＤを２次元コードに変換して表示出力させ、この２次元コード(予約ＩＤ)を読取端末３５側に読み取らせるようにしてもよい。この場合、読取端末３５側では、２次元コード(予約ＩＤ)をカメラ撮影すると共に、この撮影画像を解析して予約ＩＤを認識し、正規な予約ＩＤか否かを判別するようにすればよい。
【００５２】
また、上述した第１及び第２実施例においては、スケジュール帳２２に日時スケジュールエリア２２Ａ、予約リストエリア２２Ｂを設けたが、スケジュール帳２２以外に予約リストエリア２２Ｂを設けてもよい。また、インターネットを介して受信取得した電子チケット情報／予約情報にその利用予定日時を示す日時情報が含まれているか否かに拘らず、全てのチケット情報／予約情報を予約リストエリア２２Ｂに登録するようにしたが、日時指定の有無に応じて区分して登録するようにしてもよい。
その他、携帯電話装置に限らず、例えば、ＰＤＡ、電子カメラ、電子腕時計、音楽再生機などの携帯端末装置であっても同様に適用可能である。
【００５３】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、予め登録されたスケジュール情報を記憶管理すると共に、このスケジュール情報を案内出力する機能と、ネットワークを介して外部取得した情報の種類を判別する機能と、予約情報であることが判別された場合に、この予約情報をスケジュール情報として登録する機能とを実現させるためのプログラムを記録したコンピュータが読み取り可能な記録媒体を提供するようにしてもよい。
【００５４】
また、コンピュータが読み取り可能なプログラムコードを有する記録媒体であって、予め登録されたスケジュール情報を記憶管理すると共に、このスケジュール情報を案内出力する機能と、予約した施設を利用可能とするために当該施設側の読取端末に読み取らせる予約識別情報を事前取得して設定する機能と、事前取得した予約情報に含まれている利用予定日時がスケジュール情報の実行予定日時となるように当該予約情報の予約内容をスケジュール情報として登録する機能とを実現させるためのプログラムを記録したコンピュータが読み取り可能な記録媒体を提供するようにしてもよい。
【図面の簡単な説明】
【００５５】
【図１】携帯端末装置の一例を示した携帯電話装置の外観斜視図。
【図２】携帯電話装置の基本的な構成要素を示したブロック図。
【図３】スケジュール帳２２の構成を示した図。
【図４】電源投入に伴って実行開始される携帯電話装置の全体動作を示したフローチャート。
【図５】日時指定の有る電子チケット情報をスケジュール情報として日時スケジュールエリア２２Ａに登録するスケジュール登録処理を詳述するためのフローチャート。
【図６】日時スケジュールエリア２２Ａに電子チケット情報がスケジュール情報として登録されている場合に、スケジュール確認操作に応答して電子チケット情報が他のスケジュール情報と共に一覧表示された状態の表示例を示した図。
【図７】第２実施例において、携帯電話装置を使用し、インターネット経由で予約情報を入手したり、予約施設を利用する場合の全体システムの概要を示したブロック図。
【図８】第２実施例において、携帯電話装置３１側の非接触ＩＣ部２０の内部メモリを示した図。
【図９】第２実施例において、予約アプリケーションがユーザ操作によって起動された際に実行開始されるフローチャート。
【図１０】第２実施例において、日時指定の有る予約内容と日時指定の無い予約内容に区分して表示される予約リストの表示例を示した図。
【図１１】第２実施例において、携帯電話装置３１側の非接触ＩＣ部２０の動作を示したフローチャート。
【符号の説明】
【００５６】
４  表示部
５  キー操作部
１１  ＣＰＵ
１２  記憶部
１３  記録メディア
１４  メモリ
１５  通信部
２０  非接触ＩＣ部
２２  スケジュール帳
２２Ａ  日時スケジュールエリア
２２Ｂ  予約リストエリア
３１  携帯電話装置
３３  インターネット
３４  予約サイト
３５  施設側の読取端末
【図１】
2006330781.tif 000003
【図２】
2006330781.tif 000004
【図３】
2006330781.tif 000005
【図４】
2006330781.tif 000006
【図５】
2006330781.tif 000007
【図６】
2006330781.tif 000008
【図７】
2006330781.tif 000009
【図８】
2006330781.tif 000010
【図９】
2006330781.tif 000011
【図１０】
2006330781.tif 000012
【図１１】
2006330781.tif 000013